(57)【特許請求の範囲】
【請求項１】
蝶番(22)を介して内側にドア(20)を開閉自在に連結している金属板からなるドア枠(1)を建物の躯体(30)に固定してなるドア枠の取付構造であって、
前記建物の躯体(30)には屋外側に外壁パネル(31)を固定しており、 
前記ドア枠(1)が、戸当たり側の縦枠(2A)及び蝶番側の縦枠(2B)と、両方の縦枠(2)の上端を連結してなる上枠(3)とからなり、戸当たり側の縦枠(2A)及び蝶番側の縦枠(2B)と上枠(3)とが、屋外側の表面に突出して、金属板を折り返し状態に折曲して２枚重ねにしてなる折曲突出部(5)を設けており、さらに、この折曲突出部(5)の外側に、建物の外壁表面と平行であって、前記外壁パネル(31)を位置決めする平面部(6)を設けて、前記外壁パネル(31)を定位置に固定して、前記平面部(6)において前記折曲突出部(5)と前記外壁パネル(31)との間に断熱隙間(13)を設けており、
前記ドア枠(1)が建物の躯体(30)に固定され、前記ドア枠(1)の平面部(6)において、前記折曲突出部(5)と外壁パネル(31)との間に断熱隙間(13)を設けて、建物の躯体(30)に外壁パネル(31)を固定しており、この外壁パネル(31)と前記折曲突出部(5)との間の断熱隙間(13)をコーキングしており、
さらに前記断熱隙間(13)には、断熱隙間(13)に設けたコーキング層(14)と平面部(6)との間に断熱材(15)が配置され、
前記コーキング層(14)は前記外壁パネル(31)よりも優れた断熱特性のコーキング剤からなり、かつ前記断熱材（15）を前記コーキング層(14)よりもさらに優れた断熱特性としてなるドア枠の取付構造。
【請求項２】
前記断熱隙間(13)を、シリコンゴムからなる断熱材でコーキングしており、さらに、前記折曲突出部(5)は、先端縁を外壁パネル(31)の表面と同一平面とし、あるいは外壁パネル(31)の表面から突出する高さとしてなる請求項１に記載されるドア枠の取付構造。
【発明の詳細な説明】
【技術分野】
【０００１】
本発明は、金属板のドア枠を建物に固定してなるドア枠の取付構造に関し、とくにドア枠の室内側の結露を有効に防止できるドア枠の取付構造に関する。
【背景技術】
【０００２】
ドアを開閉できるように連結している金属板のドア枠は、冬期の寒いときに屋内側の表面に結露する。屋外の冷たい空気で冷やされたドア枠が、室内の暖かい空気に接触して、室内空気を過飽和な状態とするからである。この欠点を解消するドア枠は開発されている。（特許文献１参照）
結露を防止するドア枠を図１に示している。ドア枠は、金属製であって、第１枠９１と第２枠９２とを連結している。第１枠９１は、第２枠９２と対向する側を開口部とする案内溝９７を有する形状に金属板を折曲加工している。第２枠９２は、第１枠９１の案内溝９７に入れることができるコ字折曲部９８を有する形状に金属板を折曲加工している。第２枠９２のコ字折曲部９８を第１枠９１の案内溝９７に入れて、第１枠９１と第２枠９２とを固定している。さらに、第１枠９１と第２枠９２とを断熱して連結するために、第１枠９１の案内溝９７の底面と、第２枠９２のコ字折曲部９８の対向面との間に断熱材９９を挟着している。
【先行技術文献】
【特許文献】
【０００３】
【特許文献１】特開２００４−４４３１７号公報
【発明の概要】
【発明が解決しようとする課題】
【０００４】
以上のドア枠は、第１枠と第２枠とに分割し、その間に断熱材を挟んで、屋外側と室内側とを断熱して、室内側に発生する結露を防止している。この構造は、ドア枠を２分割して製造し、さらに、これを特定位置に配置して、断熱材を挟んで連結するので製造コストが高くなる欠点がある。また、第１枠と第２枠との連結強度を高くするために、連結部を多くすると、連結部から熱伝導して室内側の表面に結露しやすくなる欠点もある。
【０００５】
本発明は、従来のドア枠が有する以上の欠点を解決することを目的に開発されたものである。本発明の重要な目的は、極めて簡単な構造としながら、室内側の表面の結露を有効に阻止できるドア枠の取付構造を提供することにある。
【課題を解決するための手段及び発明の効果】
【０００６】
本発明のドア枠の取付構造は、蝶番２２を介して内側にドア２０を開閉自在に連結している金属板からなるドア枠１を建物に固定している。ドア枠１は、戸当たり側の縦枠２Ａ及び蝶番側の縦枠２Ｂと、両方の縦枠２の上端を連結してなる上枠３とを備える。戸当たり側の縦枠２Ａ及び蝶番側の縦枠２Ｂと上枠３は、屋外側の表面に突出して、金属板を折り返し状態に折曲して２枚重ねにしてなる折曲突出部５を設けており、さらに、この折曲突出部５の外側に、建物の外壁表面と平行な平面部６を設けている。ドア枠の取付構造は、ドア枠１を建物の躯体３０に固定し、ドア枠１の平面部６において、折曲突出部５と外壁との間に断熱隙間１３を設けて、建物の躯体３０に外壁パネル３１を固定して、この外壁パネル３１と折曲突出部５との間の断熱隙間１３をコーキングしている。
【０００７】
以上のドア枠の取付構造は、ドア枠を極めて簡単な構造としながら、室内側に露出する表面の結露を有効に阻止できる特徴がある。それは、屋外側の表面に突出して、金属板を折り返すように折曲して２枚重ねにしている折曲突出部を屋外側の表面に突出するように設けて、この折曲突出部の外側に平面部を設け、この平面部には折曲突出部と外壁パネルとの間に断熱隙間を設けて、断熱隙間をコーキングしているからである。以上のドア枠は、屋外側に露出する部分を、折曲突出部の折返し部として表面積を極めて狭くし、外気との接触面積を少なくするので、外気とドア枠の表面の熱伝達面積が少なくなり、移動する熱量が少なくなってドア枠の室内側が冷却されにくくなる。さらに、このドア枠は、折曲突出部の外側に平面部を設けて外壁パネルを固定する構造としながら、ここに外壁パネルを固定することなく、外壁パネルと折曲突出部との間に断熱隙間を設けて、ここをコーキングしている。これにより、室外側からドア枠が冷却されるのを有効に防止して、室内側の表面の結露を有効に阻止できる。
【０００８】
屋外側にほとんど露出しないドア枠は、寒い冬期においても、屋外側の露出部でドア枠がほとんど冷却されない。ドア枠は、屋外側の露出部が冷たい空気で冷やされると、熱伝導によって室内側のドア枠が冷却されるばかりでなく、ドア枠内の空気が対流することによっても室内側のドア枠を含む全体が冷却されて、室内側の表面に結露が発生する。ところが、本発明のドア枠は、屋外側の露出面積を小さくすると共に、その外側には外壁パネルを位置決めする平面部を設けて外壁パネルを定位置に固定できる構造としながら、平面部において折曲突出部と外壁パネルとの間に断熱隙間を設けて、ここをコーキングして断熱することで、外壁パネルを定位置に配置しながら、ドア枠が外気で冷却されるのを効果的に阻止して、室内側の結露を有効に防止する。
【０００９】
本発明のドア枠の取付構造は、断熱隙間１３を、シリコンゴムからなる断熱材でコーキングして、折曲突出部５は、先端縁を外壁パネル３１の表面と同一平面とし、あるいは外壁パネル３１の表面から突出する高さとすることができる。
以上のドア枠の取付構造は、断熱隙間をシリコンゴムでコーキングして、平面部を簡単に断熱できると共に、ドア枠と外壁パネルとの隙間を理想的な状態で防水できる特徴も実現する。
【００１０】
本発明のドア枠の取付構造は、断熱隙間１３が、断熱隙間１３に設けたコーキング層１４と平面部６との間に断熱材１５を配置する。
以上のドア枠の取付構造は、コーキング層と平面部との間に、さらに断熱材を配設するので、ドア枠が冷たい外気で冷却されるのをより効果的に防止して、室内側の結露をより有効に阻止できる。
さらに本発明のドア枠の取付構造は、コーキング層１４を外壁パネル３１よりも優れた断熱特性のコーキング剤として、断熱材１５をコーキング層１４よりもさらに優れた断熱特性としている。
【図面の簡単な説明】
【００１１】
【図１】従来のドア枠の水平断面図である。
【図２】本発明の一実施例にかかるドア枠の取付構造を示す一部拡大水平断面図である。
【図３】図２に示すドア枠の取付構造を示す一部拡大垂直断面図である。
【発明を実施するための形態】
【００１２】
以下、本発明の実施例を図面に基づいて説明する。ただし、以下に示す実施例は、本発明の技術思想を具体化するためのドア枠の取付構造を例示するものであって、本発明はドア枠の取付構造を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
図２と図３は、ドア枠１の取付構造の断面図を示す。ただし、図２は水平断面を示し、図３は垂直断面図を示している。これ等の図に示すドア枠１は、蝶番２２を介して内側にドア２０を開閉自在に連結している。図のドア枠１は、ドア２０の戸当たり２１側に位置する戸当たり側の縦枠２Ａと、蝶番２２側に位置する蝶番側の縦枠２Ｂと、両方の縦枠２を上端で連結している上枠３と、縦枠２を下端で連結している下枠４とからなる。両側の縦枠２と上枠３と下枠４は、鋼板等の金属板を折曲加工して製作される。上枠３は、両端を一対の縦枠２の上端に連結している。下枠４は、両端を一対の縦枠２の下端に連結している。このドア枠１は、一対の縦枠２と上枠３と下枠４とを長方形に連結している。この構造は、ドア枠１を製造工場で長方形に連結して、施工現場に運搬できる。ただ、本発明のドア枠は、必ずしも下枠を必要としない。縦枠と上枠をコンクリートや壁等の建物躯体に連結して、縦枠の下端を床や土間に固定できるからである。
【００１４】
ドア枠１は、厚さを約１．６ｍｍとする鋼板で製作される。ただし、ドア枠は、厚さを１〜２ｍｍとする鋼板で製作することもできる。鋼板製のドア枠１は、安価で強靭な構造にできる特長がある。ただ、ドア枠は、必ずしも鋼板で製作する必要はない。ドア枠は、ステンレス等の金属板を折曲加工して製作することもできる。ステンレス製のドア枠は、錆びない特長がある。下枠４は、図３の断面図に示すように、折曲加工した２枚の金属板を溶接等の方法で連結して製作される。
【００１５】
戸当たり側の縦枠２Ａ及び蝶番側の縦枠２Ｂと、上枠３は、室内側の結露を防止するために、屋外側の露出面積を小さくしている。図２の断面図に示す縦枠２と、図３の断面図に示す上枠３は、屋外側の表面に、折曲突出部５を突出して設けており、さらに、この折曲突出部５の外側には、外壁パネル３１を位置決めする平面部６を設けている。折曲突出部５は、金属板を折り返し状態に折曲して２枚重ねにしている。折曲突出部５は、先端縁を外壁パネル３１の表面と同一平面とし、あるいは外壁パネル３１の表面から多少は突出する高さとしている。この折曲突出部５の外側を直角に折曲して、建物の外壁表面と平行な平面部６を設けている。
【００１６】
戸当たり側の縦枠２Ａは、折曲突出部５の内側に戸当たり面７を設けている。戸当たり面７の内側は、直角に折曲されて、ドア２０の外周面に沿う内側面８としている。ドア枠１の内側面８は、ドア２０の表面に向かって内側に突出する段差形状としている。段差部９は、パッキン溝１０を設ける形状に金属板を折曲加工している。パッキン溝１０は、弾性変形するエアータイトパッキン１１を定位置に固定している。エアータイトパッキン１１は、閉じられたドア２０の室内側の表面に密着される。
【００１７】
蝶番側の縦枠２Ｂは、折曲突出部５の外側を直角に折曲して平面部６を設けて、折曲突出部５の内側を折曲することなく延長してドア枠１の内側面８として、この内側面８を段差形状として、段差部９にパッキン溝１０を設けている。パッキン溝１０にはエアータイトパッキン１１を固定して、閉められたドア２０の室内側の表面にエアータイトパッキン１１を密着させる形状としている。
【００１８】
さらに、上枠３は、図３の断面図に示すように、蝶番側の縦枠２Ｂと同じように、折曲突出部５の外側を直角に折曲して平面部６を設けて、折曲突出部５の内側を折曲することなく延長してドア枠１の内側面８として、ここにパッキン溝１０を設けて、パッキン溝１０にエアータイトパッキン１１を固定している。
【００１９】
以上のように、屋外側に露出する部分を折曲突出部５の折返し部とする構造は、露出部の表面積が極めて狭くなり、外気との接触面積が少なくなって、外気とドア枠１の表面の熱伝達面積が少なくなる。このため、このドア枠１は、移動する熱量が少なくなって、室内側が冷却されにくくなる。とくに、金属板を折り返し状態に折曲して２枚重ねとする折曲突出部５は、同じ厚さの１枚の金属板を使用するよりも熱の移動量を少なくできる。すなわち、金属板を折り返して２枚重ねとすることで、熱抵抗を大きくして熱の移動量を少なくできる。さらに、ドア枠は、内部で空気が対流することによってもドア枠全体が冷却されることがあるが、以上のドア枠１は、屋外側の露出面積を小さくして、外気との接触面積を少なくするので、ドア枠１の内部を対流する空気は冷却されにくく、ドア枠全体としては冷却されにくくなる。
【００２０】
図２と図３のドア枠１は、ロッド１２を介して建物の躯体３０に固定している。さらに、建物の躯体３０は、屋外側の表面に外壁パネル３１を固定している。外壁パネル３１は、その屋外側の表面を折曲突出部５の先端縁から突出させることなく、あるいは折曲突出部５の先端縁とほぼ同一平面として、建物の躯体３０に固定される。この外壁パネル３１は、折曲突出部５に隙間なく固定されず、折曲突出部５との間の断熱隙間１３を設けて、平面部６の一部を覆うように建物の躯体３０や平面部６に固定される。折曲突出部５と外壁パネル３１との間の断熱隙間１３は、平面部６を屋外側に露出させて屋外の冷たい空気に接触させないように、外壁パネル３１よりも優れた断熱特性のコーキング剤でコーキングして、コーキング層１４を設けている。このコーキング剤として、例えば、シリコンゴム等の断熱材が使用できる。さらに、図２のドア枠１は、平面部６の断熱特性を向上するために、ドア枠１の平面部６とコーキング層１４との間に、プラスチック発泡体などの断熱材１５を配置している。この構造は、コーキング層１４よりもさらに優れた断熱特性の断熱材１５で平面部６の表面をカバーして、平面部６が冷たい空気で冷却されるのを効果的に阻止できる。
【００２１】
以上の実施例において、ドア枠１の内側に連結されるドア２０は、その戸先側に、防犯、耐震用の戸当たり２１を設けており、この戸当たり２１の先端部をドア２０の先端面よりも突出する形状としている。このため、図２に示すドア枠１は、戸当たり側の縦枠２Ａの折曲突出部５の内側に戸当たり面７を設けている。ただ、本発明は、ドア枠の内側に連結するドアを、戸先側に突出する戸当たりを有するドアには特定しない。したがって、本発明のドア枠は、戸当たり側の縦枠に、必ずしも戸当たり面を設ける必要はなく、戸先側に突出する戸当たりのないドアを連結することもできる。このドア枠は、例えば、内側に連結するドアを、戸当たりが先端面から突出しない形状とし、さらに、戸当たり側の縦枠を、図３の断面図に示す上枠と同様の形状とすることができる。すなわち、この戸当たり側の縦枠は、接曲突出部の内側に戸当たり面を設けることなく、内側を延長してドア枠の内側面として、ここにパッキン溝を設けてエアータイトパッキンを固定することができる。
【符号の説明】
【００２２】
１…ドア枠
２…縦枠                        ２Ａ…戸当たり側の縦枠
２Ｂ…蝶番側の縦枠
３…上枠
４…下枠
５…折曲突出部
６…平面部
７…戸当たり面
８…内側面
９…段差部
１０…パッキン溝
１１…エアータイトパッキン
１２…ロッド
１３…断熱隙間
１４…コーキング層
１５…断熱材
２０…ドア
２１…戸当たり
２２…蝶番
３０…躯体
３１…外壁パネル
９１…第１枠
９２…第２枠
９７…案内溝
９８…コ字折曲部
９９…断熱材
【図１】
0005767797.tif 000002
【図２】
0005767797.tif 000003
【図３】
0005767797.tif 000004